(57)【要約】【課題】市販の充電用バッテリ以外からの充電を可能とし、しかも容易に持ち運びをすることができるストラップ型携帯端末用充電器を提供する。【解決手段】立体形状のキャラクタ部２と、キャラクタ部２に設けられ且つ携帯端末のストラップ用ピンと接続されるピン接続部３と、常時はキャラクタ部２の内部に格納され且つ電源供給用接続部に接続可能な電源接続部４と、常時はキャラクタ部２の内部に格納され且つ携帯端末の充電用コネクタと接続可能なコネクタ部５と、電源接続部４からの電源をコネクタ部５に制御して供給する電源制御回路部６と、を備えている。【選択図】      図１
2009177996.tif 000002
【特許請求の範囲】
【請求項１】
立体形状のキャラクタ部と、該キャラクタ部に設けられ且つ携帯端末のストラップ用ピンと接続されるピン接続部と、常時は前記キャラクタ部の内部に格納され且つ電源供給用接続部に接続可能な電源接続部と、常時は前記キャラクタ部の内部に格納され且つ携帯端末の充電用コネクタと接続可能なコネクタ部と、前記電源接続部からの電源を前記コネクタ部に制御して供給する電源制御回路部と、を備えていることを特徴とするストラップ型携帯端末用充電器。
【請求項２】
前記電源接続部は、回動又はスライド操作によって前記キャラクタ部から突出することを特徴とする請求項１に記載のストラップ型携帯端末用充電器。
【請求項３】
前記電源接続部は、家庭用電源コンセントに接続可能なコンセントプラグ又はパーソナルコンピュータ用ＵＳＢポートに接続可能なＵＳＢコネクタ或いは車両シガーライター用電源口に接続可能なソケットプラグであることを特徴とする請求項２に記載のストラップ型携帯端末用充電器。
【請求項４】
前記キャラクタ部の内部に設けられて市販の乾電池又はボタン電池が収納される充電用バッテリ収納部を備え、前記電源制御回路部は前記電源接続部から供給される電源と乾電池又はボタン電池から供給される電源とを制御することを特徴とする請求項１乃至請求項３に記載のストラップ型携帯端末用充電器。
【請求項５】
前記電源制御回路部は、前記電源接続部から供給された電源を前記充電用バッテリ収納部に収納された乾電池又はボタン電池に充電することを特徴とする請求項１乃至請求項４に記載のストラップ型携帯端末用充電器。
【請求項６】
前記キャラクタ部には、携帯端末に装着されるメモリーカード用のカード収納部が設けられていることを特徴とする請求項１乃至請求項５に記載のストラップ型携帯端末用充電器。
【発明の詳細な説明】
【技術分野】
【０００１】
本発明は、携帯電話等の携帯端末に着脱可能に装着されるストラップ型携帯端末用充電器に関する。
【背景技術】
【０００２】
従来から、携帯端末等の携帯端末には、そのストラップ用ピンにループ状のピン接続部を通すことによって、各種ストラップを着脱可能に装着することが可能となっている。
【０００３】
また、このようなストラップは、本来の目的である落下防止のための紐状のものから、マスコット等の立体形状のキャラクタをアクセサリーとして装着するようになってきている。
【０００４】
一方、携帯端末の駆動源としての内蔵バッテリは、携帯端末購入時に付属された充電アダプタにより、家庭用電源から充電を行っている。
【０００５】
しかしながら、内蔵バッテリは、例えば、携帯端末の小型化、携帯端末の利用頻度の向上、内蔵バッテリの経年劣化に伴う利用可能時間の縮小化等、その充電に緊急を要する場合がある。
【０００６】
そこで、市販の乾電池（例えば、単三乾電池２本）を収納する充電用バッテリ収納部と、携帯端末の充電用コネクタに接続可能なコネクタ部と、を備えた緊急充電器が各種市販されており、その緊急充電器をストラップ型としたストラップ型携帯端末用充電器も知られている（例えば、特許文献１参照）。
【特許文献１】特開２００５−３０４２１７号公報
【発明の開示】
【発明が解決しようとする課題】
【０００７】
ところが、上記の如く構成されたストラップ型携帯端末用充電器にあっては、緊急用を主としているため、乾電池対応であった。
【０００８】
一方、携帯端末購入時等に入手した充電器は、ある程度の長さのコードや携帯端末ホルダー等を備えているため、家庭から持ち出す場合には、家庭用電源コンセントからアダプタ一体型コンセントプラグを抜き取る必要があるうえ、コードの巻取り処理等の手間を要し、携帯性に劣るうえ、紛失により家庭に帰ってからの充電ができなくなる等、さまざまな不便を強いられていた。
【０００９】
また、上述した市販の乾電池を利用した緊急充電器にあっては、例えば、旅行先等の家庭用電源からの充電が可能な環境下にあっても、高価な乾電池からしか充電を行うことができず、その後の携帯端末の利用により乾電池の入手が困難な場所で緊急充電を要した際には乾電池の電源残が無いなどの不具合が発生していた。
【００１０】
そこで、本発明は、上記事情を考慮し、市販の充電用バッテリ以外からの充電を可能とし、しかも容易に持ち運びをすることができるストラップ型携帯端末用充電器を提供することを目的とする。
【課題を解決するための手段】
【００１１】
本発明のストラップ型携帯端末用充電器は、立体形状のキャラクタ部と、該キャラクタ部に設けられ且つ携帯端末のストラップ用ピンと接続されるピン接続部と、常時は前記キャラクタ部の内部に格納され且つ電源供給用接続部に接続可能な電源接続部と、常時は前記キャラクタ部の内部に格納され且つ携帯端末の充電用コネクタと接続可能なコネクタ部と、前記電源接続部からの電源を前記コネクタ部に制御して供給する電源制御回路部と、を備えていることを特徴とする。
【００１２】
この際、前記電源接続部は、回動又はスライド操作によって前記キャラクタ部から突出するのが好ましく、しかも、家庭用電源コンセントに接続可能なコンセントプラグ又はパーソナルコンピュータ用ＵＳＢポートに接続可能なＵＳＢコネクタ或いは車両シガーライター用電源口に接続可能なソケットプラグとするのが好ましい。
【００１３】
また、前記キャラクタ部の内部に設けられて市販の乾電池又はボタン電池が収納される充電用バッテリ収納部を備え、前記電源制御回路部は前記電源接続部から供給される電源と乾電池又はボタン電池から供給される電源とを制御するのが好ましく、その電源制御回路部は、前記電源接続部から供給された電源を前記充電用バッテリ収納部に収納された乾電池又はボタン電池に充電することができるのがより好ましい。
【００１４】
さらに、前記キャラクタ部には、携帯端末に装着されるメモリーカード用のカード収納部が設けられているのが好ましい。
【発明の効果】
【００１５】
本発明のストラップ型携帯端末用充電器は、市販の充電用バッテリ以外からの充電を可能とし、しかも容易に持ち運びをすることができる。
【発明を実施するための最良の形態】
【００１６】
次に、本発明の一実施形態に係るストラップ型携帯端末用充電器について、図面を参照して説明する。
【００１７】
図１（Ａ）は本発明の一実施形態に係る非充電状態のストラップ型携帯端末用充電器の正面図、図１（Ｂ）は本発明の一実施形態に係る充電状態のストラップ型携帯端末用充電器の正面図、図２（Ａ）は本発明の一実施形態に係る非充電状態のストラップ型携帯端末用充電器の背面図、図２（Ｂ）は本発明の一実施形態に係る充電状態のストラップ型携帯端末用充電器の背面図、図３（Ａ）は本発明の一実施形態に係るストラップ型携帯端末用充電器の要部の平面図、図３（Ｂ）は本発明の一実施形態に係るストラップ型携帯端末用充電器の要部の側面図である。
【００１８】
図１及び図２に示すように、本発明の一実施形態に係るストラップ型携帯端末用充電器１は、立体形状のキャラクタ部２と、キャラクタ部２に設けられ且つ図示を略する携帯端末のストラップ用ピンと接続されるピン接続部３と、常時はキャラクタ部２の内部に格納され且つ図示を略する電源供給用接続部（例えば、家庭用電源コンセント）に接続可能な電源接続部（例えば、コンセントプラグ）４と、常時はキャラクタ部２の内部に格納され且つ図示を略する携帯端末の充電用コネクタと接続可能なコネクタ部５と、電源接続部４からの電源をコネクタ部５に制御して供給する電源制御回路部６と、キャラクタ部２の内部に設けられて市販の乾電池Ｖ（又はボタン電池）が収納される充電用バッテリ収納部７と、キャラクタ部２の内部に設けられて携帯端末に装着されるメモリーカード（図示せず）用のカード収納部８と、を備えている。
【００１９】
キャラクタ部２は、本実施の形態では、動物（例えば、クマ）を人間に模した状態のものを使用しているが、立体形状のものであれば、人・動物等のマスコットや物等のアクセサリー等、特に限定されるものではない。
【００２０】
ピン接続部３は、携帯端末のストラップ用ピンに接続可能な周知のものであれば特に限定されるものではないが、携帯端末側とキャラクタ部２側とで分離できるよう、その一部で分割可能となっているものを用いるのが好ましい。
【００２１】
電源接続部４は、図３に示すように、回動（又はスライド）操作によってキャラクタ部２から突出し、本実施の形態では、フラット面（天面）を有する帽子部分から出没可能となっている。
【００２２】
この際、電源接続部４は、例えば、図４及び図５に示すように、キャラクタ部２の靴を蓋体として開閉可能に構成し、一方の靴を開放することで取り出し（又は収納）可能となるように構成することも可能である。尚、他方の靴は乾電池Ｖの交換用蓋体として利用することも可能である。
【００２３】
尚、電源接続部４は、家庭用電源コンセントに接続可能なコンセントプラグの他、例えば、図６に示すように、パーソナルコンピュータ用ＵＳＢポート（図示せず）に接続可能なＵＳＢコネクタ９、或いは車両シガーライター用電源口に接続可能なソケットプラグ（共に図示せず）等、特に限定されるものではない。また、電源接続部４は、上述した回動式（図３参照）の他、スライド操作部１０を設けてスライド式（図４参照）とすることも可能である。
【００２４】
コネクタ部５は、例えば、キャラクタ部２の頭部と胴部との間から引き出し可能となっており、携帯端末の充電用コネクタに合わせたものが適宜採用される。また、コネクタ部５は、コード式の他、電源接続部４と同様に回動式（又はスライド式）とすることができる。さらに、コネクタ部５は、例えば、頭部を胴部に対して回転させることでコード巻取りを可能とすることも可能である。
【００２５】
電源制御回路部６は、電源接続部４から供給される電源（例えば、家庭用電源）と乾電池Ｖ（又はボタン電池）から供給される電源（バッテリ電源）との供給先を切り換え、例えば、電源接続部４が電源供給用接続部（例えば、家庭用電源コンセント）に接続されている場合には、バッテリ収納部７に乾電池Ｖが収納されていても電源供給用接続部から供給される電源を優先し、電源接続部４が電源供給用接続部（例えば、家庭用電源コンセント）に接続されていない場合には、バッテリ収納部７に乾電池Ｖから供給される電源を優先する。
【００２６】
尚、電源制御回路部６は、例えば、電源接続部４が電源供給用接続部に接続され且つバッテリ収納部７に乾電池Ｖが収納されている場合には、携帯端末の充電用コネクタにコネクタ部５が接続されていない状態（或いは併用）して、乾電池Ｖへの充電を可能としても良い。
【００２７】
上記の構成において、携帯端末の内蔵バッテリへの充電を行う場合には、キャラクタ部２を携帯端末から分離させ、電源接続部４を突出させると共にコネクタ部５を引き出した後、電源接続部４を電源供給用接続部に接続すると共に、コネクタ部５を携帯端末の充電用コネクタに接続することで充電が実行される。
【００２８】
この際、内蔵バッテリへの充電完了等の確認は、携帯端末側で行うのが基本であるが、例えば、キャラクタ部２の目を充電ランプとして用い、点滅中は充電中、点灯中は充電完了とするように構成することも可能である。
【図面の簡単な説明】
【００２９】
【図１】本発明の一実施形態に係るストラップ型携帯端末用充電器を示し、（Ａ）は非充電状態の正面図、（Ｂ）は充電状態の正面図である。
【図２】本発明の一実施形態に係るストラップ型携帯端末用充電器を示し、（Ａ）は非充電状態の背面図、（Ｂ）は充電状態の背面図である。
【図３】本発明の一実施形態に係るストラップ型携帯端末用充電器を示し、（Ａ）は要部の平面図、（Ｂ）は要部の側面図である。
【図４】本発明の一実施形態に係る他のストラップ型携帯端末用充電器を示し、（Ａ）は非充電状態の正面図、（Ｂ）は充電状態の正面図である。
【図５】本発明の一実施形態に係る他のストラップ型携帯端末用充電器を示し、（Ａ）は非充電状態の背面図、（Ｂ）は充電状態の背面図である。
【図６】本発明の一実施形態に係る他のストラップ型携帯端末用充電器を示し、（Ａ）は要部の平面図、（Ｂ）は要部の側面図である。
【符号の説明】
【００３０】
１…ストラップ型携帯端末用充電器
２…キャラクタ部
３…ピン接続部
４…電源接続部（コンセントプラグ）
５…コネクタ部
６…電源制御回路部
７…充電用バッテリ収納部
８…カード収納部
【図１】
2009177996.tif 000003
【図２】
2009177996.tif 000004
【図３】
2009177996.tif 000005
【図４】
2009177996.tif 000006
【図５】
2009177996.tif 000007
【図６】
2009177996.tif 000008